(57)【要約】【課題】競技用計時システムに要するコストや設置作業に要する労力や時間を低減するとともに、全ての競技者の走行時間を良好に計測することができる競技用計時システムを提供すること。【解決手段】本発明では、競技者（２）の走行時間を計測するための競技用計時システム（１）において、競技者（２）を特定するＩＤが設定されたＲＦタグ（３）と、走行路（４）に向けて円偏波させた電波を照射するとともに、競技者（２）に装着されたＲＦタグ（３）からのＩＤを含む信号波を受信する送受信機（６）とを有することにした。また、前記ＲＦタグ（３）は、前記送受信機（６）からの電波をエネルギー源として動作する受動型のＲＦ素子（１２）を用いることにした。さらに、前記ＲＦタグ（３）は、可撓性を有するシール面（１０）とカバー面（１１）との間の中央にＲＦ素子（１２）を収容することにした。【選択図】図１
2019092642.tif 000002
【特許請求の範囲】
【請求項１】
競技者の走行時間を計測するための競技用計時システムにおいて、
競技者を特定するＩＤが設定されたＲＦタグと、
走行路に向けて円偏波させた電波を照射するとともに、競技者に装着されたＲＦタグからのＩＤを含む信号波を受信する送受信機と、
を有することを特徴とする競技用計時システム。
【請求項２】
前記ＲＦタグは、前記送受信機からの電波をエネルギー源として動作する受動型のＲＦ素子を用いたことを特徴とする請求項１に記載の競技用計時システム。
【請求項３】
前記ＲＦタグは、可撓性を有するシール面とカバー面との間の中央にＲＦ素子を収容したことを特徴とする請求項１又は請求項２に記載の競技用計時システム。
【発明の詳細な説明】
【技術分野】
【０００１】
本発明は、競技者の走行時間を計測するための競技用計時システムに関するものである。
【背景技術】
【０００２】
従来より、一般道を使用して多数の競技者が走行するマラソン大会などにおいては、各競技者の走行時間を計測するために競技用計時システムが利用されている。
【０００３】
従来の競技用計時システムでは、競技者に発信装置を装着させる一方、走行路上の所定位置（たとえば、スタート地点や通過地点やゴール地点など）にライン状のマットアンテナを設置するとともに、そのマットアンテナに受信装置を接続したシステムが用いられている。
【０００４】
そして、従来の競技用計時システムでは、走行路の所定位置において競技者の発信装置から発信された電波をライン状のマットアンテナを用いて受信装置で受信するようにしている。
【先行技術文献】
【特許文献】
【０００５】
【特許文献１】特開２０１３−１３８７７６号公報
【発明の概要】
【発明が解決しようとする課題】
【０００６】
ところが、上記従来の競技用計時システムでは、電波を発信する発信装置と走行路の路面上に載置するライン状のマットアンテナとを用いたシステムであったために、競技用計時システムを構成する全体の費用が高くなるといった問題があった。
【０００７】
また、上記従来の競技用計時システムでは、走行路の路面上にマットアンテナを載置する必要があり、設置作業に多大な労力や時間を要するとともに、競技者の走行を邪魔するおそれがあった。
【０００８】
さらに、上記従来の競技用計時システムでは、走行路の路面上に載置したライン状のマットアンテナを用いていたために、発信装置から発信される電波が競技者の身体で遮蔽されてしまい受信ができないおそれがあり、全ての競技者の走行時間を良好に計測することが困難となるおそれがあった。
【課題を解決するための手段】
【０００９】
そこで、請求項１に係る本発明では、競技者の走行時間を計測するための競技用計時システムにおいて、競技者を特定するＩＤが設定されたＲＦタグと、走行路に向けて円偏波させた電波を照射するとともに、競技者に装着されたＲＦタグからのＩＤを含む信号波を受信する送受信機とを有することにした。
【００１０】
また、請求項２に係る本発明では、前記請求項１に係る本発明において、前記ＲＦタグは、前記送受信機からの電波をエネルギー源として動作する受動型のＲＦ素子を用いることにした。
【００１１】
また、請求項３に係る本発明では、前記請求項１又は請求項２に係る本発明において、前記ＲＦタグは、可撓性を有するシール面とカバー面との間の中央にＲＦ素子を収容することにした。
【発明の効果】
【００１２】
そして、本発明では、以下に記載する効果を奏する。
【００１３】
すなわち、本発明では、競技者の走行時間を計測するための競技用計時システムにおいて、競技者を特定するＩＤが設定されたＲＦタグと、走行路に向けて円偏波させた電波を照射するとともに、競技者に装着されたＲＦタグからのＩＤを含む信号波を受信する送受信機とを有することにしているために、競技用計時システムに要するコストや設置作業に要する労力や時間を低減することができるとともに、全ての競技者の走行時間を良好に計測することができる。
【００１４】
特に、ＲＦタグとして、送受信機からの電波をエネルギー源として動作する受動型のＲＦ素子を用いた場合には、ＲＦタグの小型軽量化を図ることができ、競技者の負担を軽減することができる。
【００１５】
また、ＲＦタグとして、可撓性を有するシール面とカバー面との間の中央にＲＦ素子を収容したものを用いた場合には、競技者の身体の様々な部位にＲＦタグを容易に装着することができるとともに、ＲＦタグの周囲が部分的に破損しても中央のＲＦ素子の破損を回避することができる。
【図面の簡単な説明】
【００１６】
【図１】本発明に係る競技用計時システムを示す説明図。
【図２】同使用状態を示す説明図。
【発明を実施するための形態】
【００１７】
以下に、本発明に係る競技用計時システムの具体的な構成について図面を参照しながら説明する。
【００１８】
図１及び図２に示すように、競技用計時システム１は、競技者２に装着するＲＦタグ３と、ＲＦタグ３を装着した競技者２が走行する走行路４上の所定位置５（たとえば、スタート地点や通過地点やゴール地点など）に設置する送受信機６と、送受信機６に接続された通信機７と、通信機７と有線又は無線にて送受信可能な通信機８と、通信機８に接続されたコンピューター９とで構成している。
【００１９】
そして、競技用計時システム１は、ＲＦタグ３を装着した競技者２が送受信機６の設置された所定位置５を通過すると、送受信機６で競技者２の通過を検知し、通信機7,8を介してコンピューター９に通知し、コンピューター９を用いてスタート地点におけるスタート時間や通過地点における通過時間やゴール地点におけるゴール時間（走行時間）などを競技者２ごとに集計するようにしている。
【００２０】
この競技用計時システム１で用いられるＲＦタグ３は、紙の一面に粘着剤を塗布した可撓性を有し切断容易なシール面10と、同サイズで同じく可撓性を有し切断容易なカバー面11とを重ね合わせ、シール面10とカバー面11との間の中央位置に小型チップ状のＲＦ素子12を収容している。
【００２１】
このように、ＲＦタグ３は、一面に貼着剤を塗布したシール面10を有しているために、シール面10を競技者２の腕や足などの身体や競技者２が身に付ける被服やゼッケンなどに競技前に容易に貼着することができ、また、競技後に容易に剥離することができるようになっている。
【００２２】
また、ＲＦタグ３は、全体的にも可撓性を有しているために、競技者２の身体や被服などの凹凸面や湾曲面にも容易に貼着することができるようになっている。
【００２３】
さらに、ＲＦタグ３は、シール面10とカバー面11との間の中央にＲＦ素子12を収容しているために、競技中に雨や雪や汗などで濡れてもＲＦ素子12への浸水を防止することができてＲＦ素子12の故障発生を抑制することができるとともに、ＲＦ素子12の外側であれば周囲のシール面10やカバー面11に切断等の破損が生じても中央のＲＦ素子12の破損を回避することができるようになっている。
【００２４】
このＲＦタグ３に収容されたＲＦ素子12は、送受信機６からの電波をエネルギー源（電源）として動作する受動型の素子を用いており、予めＲＦ素子12ごとに異なるＩＤが付与されていて、送受信機６からの電波を受信すると、ＩＤを含む円偏波させた信号を周囲に向けて発信するようになっている。
【００２５】
このように、ＲＦタグ３は、ＲＦ素子12として受動型の素子を用いているために、電池等の電源を設ける必要がなくなり、低コスト化を図ることができるとともに、小型軽量化を図ることができるので、競技者２に負担や違和感を感じさせないようになっている。
【００２６】
また、ＲＦタグ３は、ＲＦ素子12ごとに異なるＩＤを含む信号を発信するようになっているために、予め競技者２とそれを装着するＲＦタグ３のＩＤとを関連付けておくことで、発信された信号によって競技者２を特定することができるようになっている。
【００２７】
このＲＦタグ３との間で送受信を行う送受信機６は、設置された走行路４の所定位置５を通過する競技者２のＲＦタグ３に向けて円偏波された電波を照射し、ＲＦタグ３からのＩＤを含む信号波を受信することができるようになっている。
【００２８】
このように、送受信機６は、円偏波された電波を照射するようにしているために、競技者２に対して送受信機６とは反対側にＲＦタグ３が装着されていても、円偏波された電波が競技者２の身体を回り込むようにして伝搬してＲＦタグ３に電波を送信することができるようになっており、ＲＦタグ３が競技者２のいずれの部位に装着されていても良好に送受信を行うことができるようになっている。これにより、全ての競技者２の走行時間を良好に計測することができるようになっている。
【００２９】
この送受信機６は、走行路４に対して直交する方向に向けて電波を照射することで競技者２の真横から電波を照射するように設置することが好ましいが、走行路４の左右両側に設置してもよく、また、競技者２の正面側や上側から電波を照射するように設置してもよい。
【００３０】
競技用計時システム１は、以上に説明したように構成しており、ＲＦタグ３を装着した競技者２が走行路４の所定位置５を通過する際に、送受信機６から送信された電波がＲＦタグ３に照射し、ＲＦタグ３のＲＦ素子12が起動してＩＤを含む信号を発信し、それを送受信機６で受信するようになっている。
【００３１】
以上に説明したように、上記した競技者２の走行時間を計測するための競技用計時システム１においては、競技者２を特定するＩＤが設定されたＲＦタグ３と、走行路４に向けて円偏波させた電波を照射するとともに、競技者２に装着されたＲＦ３タグからのＩＤを含む信号波を受信する送受信機６とを有する構成となっている。
【００３２】
そのため、上記構成の競技用計時システム１では、従来のマットアンテナを用いた競技用計時システムと比較してコストや設置作業に要する労力や時間を低減することができるとともに、全ての競技者２の走行時間を良好に計測することができる。
【００３３】
また、上記競技用計時システム１は、ＲＦタグ３として、送受信機６からの電波をエネルギー源として動作する受動型のＲＦ素子12を用いた構成となっている。
【００３４】
そのため、上記構成の競技用計時システム１では、ＲＦタグ３の小型軽量化を図ることができ、競技者２の負担を軽減することができる。
【００３５】
さらに、上記競技用計時システム１は、ＲＦタグ３として、可撓性を有するシール面10とカバー面11との間の中央にＲＦ素子12を収容したものを用いた構成となっている。
【００３６】
そのため、上記構成の競技用計時システム１では、競技者２の身体の様々な部位にＲＦタグ３を容易に装着することができるとともに、ＲＦタグ３の周囲が部分的に破損しても中央のＲＦ素子12の破損を回避することができる。
【符号の説明】
【００３７】
１  競技用計時システム                      ２  競技者
３  ＲＦタグ                                ４  走行路
５  所定位置                                ６  送受信機
７  通信機                                  ８  通信機
９  コンピューター                          10  シール面
11  カバー面                                12  ＲＦ素子
【図１】
2019092642.tif 000003
【図２】
2019092642.tif 000004